(57)【要約】【解決手段】電子モジュール用電磁障害（ＥＭＩ）シールドケージは、導電性の下側パネル、該下側パネルと電気的に結合する導電性の後側パネル、前記下側パネルと電気的に結合する導電性の細長いカバー、及び、前記下側パネル、後側パネル及び細長いカバーと電気的かつ機械的に結合する第１及び第２の側壁を含む。前記下側パネル、後側パネルの少なくとも１つと電気的に結合する複数の接地脚並びに第１及び第２の側壁は、基準電位へのＥＭＩ信号に電気的な経路を提供する。下側、上側及び側壁を取囲む導電性の圧縮可能なガスケットは、ＥＭＩ抑制機能を高める。上側及び下側にタブを係合するガスケットは、該ガスケットとパネルとの間の電気的接続を提供する。
2006522485.tif 000002
【特許請求の範囲】
【請求項１】
電子モジュール用電磁障害（ＥＭＩ）シールドケージであって、
回路基板に取付ける下側部材と、
前記下側部材に電気的に結合された導電性カバー部材と、
前記下側部材及びカバー部材に電気的に結合された第１及び第２の導電性外部側壁であって、各々から少なくとも１つの垂下している外部接地脚を含む第１及び第２の外部側壁と、
前記下側部材とカバー部材に電気的に結合された少なくとも１つの内部壁とを有し、該内部壁は、垂下して前記下側部材内に配設された対応する開口を貫通し、前記回路基板上の接地回路に接続される少なくとも１つの内部接地脚を含み、
前記下側部材、外部側壁及び内部壁並びにカバー部材が、電子モジュールを収容するための前記ケージの少なくとも２つの別個の隣合った内部キャビティを画定し、それぞれの内部キャビティが、前記ケージの外部と連通し電子モジュールが通過することができる別個の開口を含むシールドケージ。
【請求項２】
前記外部側壁及び内部壁は、それぞれ、垂下する複数の接地脚を含む、請求項１に記載のシールドケージ。
【請求項３】
前記内部接地脚及び外部接地脚は変形可能なピンを含む、請求項２に記載のシールドケージ。
【請求項４】
前記内部接地脚及び外部接地脚は針の目型の変形可能なピンを含む、請求項３に記載のシールドケージ。
【請求項５】
前記外部接地脚は前記側壁に沿って長手方向に互いに離間される、請求項２に記載のシールドケージ。
【請求項６】
前記内部壁は該内部壁に配設された複数の係合タブを含み、該係合タブが、前記導電性下側部材及び前記導電性の細長いカバーの少なくとも１つと機械的かつ電気的に係合する大きさ及び形状を備える、請求項１に記載のシールドケージ。
【請求項７】
前記内部壁係合タブは、ピーニング、スエージング、ローレット加工、はんだ付、ろう付、溶接及び接着のうちの少なくとも１つによって上側部材に機械的かつ電気的に結合される、請求項６に記載のシールドケージ。
【請求項８】
前記内部壁係合タブは、ピーニング、スエージング、ローレット加工、はんだ付、ろう付、溶接及び接着のうちの少なくとも１つによって前記下側部材に機械的かつ電気的に結合される、請求項７に記載のシールドケージ。
【請求項９】
前記内部接地脚は前記内部壁に沿って長手方向に互いに離間される、請求項２に記載のシールドケージ。
【請求項１０】
前記内部壁は、前記下側部材及びカバー部材に対して実質的に垂直に向けられ、前記カバー部材及び下側部材の曲げ剛性を高める、請求項１に記載のシールドケージ。
【請求項１１】
回路基板上の回路に接続された複数の電子モジュールを遮蔽するための複数ベイシールドケージであって、
回路基板に取付けるための第１の接地ピンが一体形成された導電性の平坦なベースプレートと、
該ベースプレートと係合しこれと協働して複数の電子モジュールを挿入することができる導電性の中空のレセプタクルを形成する導電性カバー部材と、
複数の内部壁部材とを有し、
該内部壁部材は、一体的に形成されて該内部壁部材の下縁に沿って延在する第２の接地ピンを備え、該第２の接地ピンは内部壁部材の下縁に沿って離間され、かつ、前記ベースプレート内に配設された対応する開口を貫通し、前記内部壁部材が複数の係合タブを更に含み、該係合タブが、前記内部壁部材を前記ベースプレート及びカバー部材に電気的かつ機械的に相互接続するために前記ベースプレート及びカバー部材に形成された開口内に収容され、前記第２の接地ピンが前記ベースプレートの周囲において接地経路を画定する複数ベイシールドケージ。
【請求項１２】
前記第１及び第２の接地ピンは、真っ直ぐなピンと変形可能な取付ピンとから実質的になるグループから選択される、請求項１１に記載のシールドケージ。
【発明の詳細な説明】
【技術分野】
【０００１】
本発明は、一般に電子モジュールを電磁障害から遮蔽（へい）するために使用されるシールドケージに関し、より詳細には、複数のモジュールを収容するシールドケージに関する。
【背景技術】
【０００２】
従来技術においては、電磁障害（ＥＭＩ）からの遮蔽を必要とする電子回路は、ＥＭＩ信号を抑制するシートメタルシャーシ又はハウジング内に取付けられることが多い。従来技術のＥＭＩシールドケージは、ある程度はＥＭＩを抑制するが、シャーシ前面パネルを適切に接地することができる手段ではなかった。シャーシ部品の嵌（は）め合いが緩いと電気的接触は不十分になる。ＥＭＩの電力レベルと周波数によって異なるが、シャーシ部品の嵌め合いが緩い場合は、通常、ＥＭＩシールドが不十分になる。
【０００３】
この問題を解決するために、当該技術分野では、回路基板に取付けられる金属製シールドケージが開発されてきた。そのような公知のケージでは、１個のシールドケージは、１枚のメタルシートあるいは２枚のシートメタル片から構成される。ルータやサーバ等に使用される電子部品を遮蔽するためには、１個のモジュール又は装置に対して１個のシールドケージを設けなければならない。そのようなモジュールは、幅方向に離間された状態で回路基板上に配設されるため、この構成では大きなスペースが必要となる。このモジュールは、ＳＦＰ（small form-factor pluggable ）構造を有する場合があり、また、光学的トランシーバや電気アダプタ等を含む場合がある。このトランシーバ構成においては、装置は、光データ信号を受取ってそれを電気信号に変換した後、該電気信号を、一般に回路基板上に回路として配置された電気的インターフェイスに送る。装置回路基板に取付けられ接地によってＥＭＩ遮蔽されたケージが設けられている。
【発明の開示】
【発明が解決しようとする課題】
【０００４】
したがって、回路基板の接地回路に確実に接地された複数のモジュールあるいは電子アダプタを収容した金属シールドケージを提供することが望まれている。
【課題を解決するための手段】
【０００５】
したがって、本発明の一般的な目的は、複数の電子モジュール又はアダプタを収容し、ケージが複数の別々の箇所で回路基板上の接地回路に接続されているシールドケージを提供することである。
【０００６】
本発明の他の目的は、導電性材料で形成されベースプレートを含む複数ベイシールドケージを提供することであり、前記ベースプレートは、ケージの側面を画定する少なくとも１対の外部壁と、該外部壁の中間に配設されケージの内部を少なくとも２個のモジュール収容レセプタクルに分割する少なくとも１枚の内部壁とを備え、前記ケージは、ベースの外部側壁間を上方から閉じるカバー部材を更に含む。
【０００７】
本発明の更に他の目的は、複数のモジュール収容ベイを有するシールドケージであって、該ケージは、下側壁を有する基部とその周囲に立つ少なくとも２枚の側壁と、互いに離間して基部に接合され協働して側壁を画定する複数の別個の内部壁部材と、複数のモジュール収容ベイとを備え、前記ケージはベイを上から閉じるカバー部を更に含み、前記内部壁部材は基部及びカバー部に接合されてケージの構造を形成し、前記内部壁部材から、該内部壁部材を回路基板上の接地回路に接続するための接地脚が垂下し、それにより各モジュールベイ間で接地するための少なくとも１個の接続が提供されるシールドケージを提供することである。
【０００８】
本発明の更に他の目的は、改善された構造を有するシールドケージを提供することであり、該シールドケージは、複数の電子モジュールを収容するための複数のベイを有し、前記ケージは、導電性材料で形成されたベースと導電性材料で形成されたカバーとを有し、このベース及びカバーは、係合されるとその間にレセプタクルを構成し、ベースは更に、カバーと電気接触するように延在してベースとカバーとの間に導電経路を確立する部材と、レセプタクルを複数のレセプタクルにさらに分割するためにベースとカバーの両方と係合する複数の内部壁部材とを含み、該内部壁は、ケージのカバーと係合する係合部材と、支持回路基板に接続するための係合部材及び接地ピンを備え、内部壁部材の接地ピンは、ケージのベースに沿って接地するための経路を短くする。
【０００９】
本発明は、これらの目的を、平坦（たん）なベースプレートと、該プレートを回路基板に取付ける接地ピンとが一体形成された構造によって達成する。前記接地ピンは、真っ直ぐなピンでも変形可能な取付ピンでもよく、ベースの両縁に沿って形成されることが好ましい。導電性カバー部材はベースと係合してこれら２個の部材間に導電経路が形成される。複数の内部壁部材が提供され、該内部壁部材の下縁に沿って一体の接地ピンが並んで延在している。この接地ピンは、ベースの穴に収容され、ケージが取付けられた回路基板上の接地回路と接触する。内部壁の接地ピンは、ベースの接地経路の距離を短くする働きをする。
【００１０】
本発明のこれら及びその他の目的、特徴及び利点は、以下の詳しい説明を検討することにより明白に理解されよう。
【００１１】
この詳しい説明において、添付図面をしばしば参照する。
【発明を実施するための最良の形態】
【００１２】
図１は、１以上の電子モジュールを収容するための電磁障害（ＥＭＩ）シールドケージ１００の斜視図である。電子モジュールは、通常、回路基板３４上の回路と他の電子装置との間の接続を提供するために使用される。これらは一般に、データ伝送サーバやルータに使用される。そのようなモジュールは、例えば、小さい回路基板を用いて、該回路基板に取付けられ、ケージ１００の後部内に保持されたカードエッジコネクタと嵌（かん）合するアダプタや、光ファイバケーブルによって送られた光信号を電気信号に変換し回路基板３４上の回路によって送る光トランシーバを含む。モジュールあるいはアダプタは、回路基板３４に取付けられた個別のベイ又はレセプタクルに差込まれるが、ベイは、装置の外部と連通する（好ましくは、装置のパネル２８を通って連通する）開口部を備える。これら金属ケージ１００は、モジュールを外部の電磁波から遮蔽し、モジュールから出る電磁波を閉込めるために使用される。
【００１３】
図示されるシールドケージ１００は実質的に長方形であるが、他の形状を使用してもよいと理解されよう。シールドケージ１００は、一般に、シートメタルで形成された導電性パネルで構成され、該パネルは、下側パネル１２、後側パネル１６、カバーすなわち上側パネル１８並びに側面パネル２０及び２２を含み、これらはすべてケージ１００の「外側」パネル又は壁と考えることができる。好ましい実施形態においては、これら外側パネル１２、１６、１８、２０及び２２は、穴の空いたシートメタルと穴のないシートメタルのいずれからも製造することができ経済的である。穴の空いたシートメタルを用いた場合、ケージ１００内における空気の移動はより多くなるが、ＥＭＩ遮蔽の減少を犠牲にする可能性がある。代替的実施形態においては、導電性下側パネル１２は、シールドケージ１００を取付ける回路基板３４の上面に、例えば、銅から成る導電体層によって設けることができる。
【００１４】
図示される好ましい実施形態においては、外側パネルの一部、すなわち、下側パネル１２は、ケージの基部を画定することができ、一方、上側又はカバーパネル１８、側壁２０及び２２並びに後側壁１６は協働してケージのカバー部を画定することができる。説明のために２個の部品から成るケージを示すが、外側パネルが一緒に１枚のシートメタル片から形成されてもよいと理解されよう。シートメタル製造の技術分野における当業者であれば、単一の適切な大きさのシートメタルパネルを曲げることによって様々な外側パネルを容易に形成することができると理解するであろう。また、様々な同様の代替実施形態においては、１以上の個別に打抜かれたパネルから様々な外側パネル１２、１６、１８、２０及び２２を形成し、ケージ１００に組立てることができる。
【００１５】
図１から分かるように、ケージ１００を構成するパネル１２、１６、１８、２０及び２２は、図１に内部電子モジュール空間２４として示す容積を取囲み、この空間にはケージの開口２６からアクセス可能であり、シールドケージ１００内に覆われたコネクタ（図示せず）に電子モジュールを組込む際に電子モジュールをこの開口２６から挿入することができる。コネクタは、一般に、回路基板の領域１２５に取付けられ、回路基板と結合して該回路基板上の信号トレース１２６と接続する。下側パネル１２の奥行きＤ１は、コネクタ自体及びコネクタと組合された回路基板トレース１２６と干渉しないように、上側パネル１６の奥行きＤ２よりも浅いことが好ましい。
【００１６】
導電性下側パネル１２、後側パネル１６、カバー１８、側壁２０及び２２は、電子モジュール空間２４内に１以上の電子装置を取囲むように互いに電気的かつ機械的に結合されている。これにより、電子装置がケージ１００の外側からの電磁障害信号から遮蔽されるだけでなく、空間２４内の電子モジュールから生じその電子モジュールから他のモジュールに向かって送られる可能性があるＥＭＩ信号を電子モジュール空間２４内に閉込める。したがって、下側パネル１２、後側パネル１６、カバー１８、側壁２０及び２２がすべて互いに電気的に結合され、ケージ１００が支持された回路基板３４上あるいは回路基板内３４の導電接地経路によって接地電位に接続されることが重要である。
【００１７】
図１から分かるように、ケージ１００は、装置の前面パネル２８と組合せられるとともに位置合せされており、前面パネル２８には開口３０が形成されており、該開口３０を通して電子モジュールをケージ１００の内部空間、すなわち、ベイ２４に挿入することができる。前面パネル２８は、一般に導電性であり、ＥＭＩ抑制機能を高めることができ、また、ラベルを貼（はり）付けるための基台を提供することができる。図１に示されるように、前面パネル２８は、開口３０が下側パネル１２、カバー１８並びに第１及び第２の側壁２０及び２２の一部を包むあるいは取囲むような大きさ及び形状を有している。図示の実施形態では、前面パネルが、上側パネル１８、側面パネル２０及び２２並びに下側パネル１２の周りに配置されるので、通常、前面パネル２８の開口３０の寸法は、前面パネル２８とケージ１００の外側パネルとを密に機械的に結合させたり、電気的に接続させたりすることができないようなものである。
【００１８】
図１には図示されていないが、導電性の圧縮可能なガスケットがカバー２８の後ろに配置されており、これにより、前面パネル２８と外側パネルとの間の改善された電気接続が提供される。圧縮可能なガスケット３２は導電性材料で形成される。好ましい実施形態においては、圧縮可能なガスケット３２は、小径ワイヤを編んだものから成り、容易に曲げることができ、外側パネルの表面の凹凸や不完全さがあっても外側パネルに沿わせることができる程度の剛性を有する。他の実施形態においては、ガスケットは、外側面などを金属めっきすることによって選択的に全体を金属被覆した層から成るフォームラバー等の圧縮可能で柔軟な可塑性物質で形成されてもよい。圧縮可能なガスケット３２は、装置前面パネル２８の後側面２９とシールドケージ１００の外周部の両方に、下側パネル１２、側面パネル２０及び２２並びに上側パネル１８を介して接触しており、これにより、それらパネル同士は実質的に連続して電気的に接続される。導電性の圧縮可能なガスケット３２は、回路基板の接地回路に接地されたケージ１００の各パネルに前面パネル２８を接地することによってＥＭＩ遮蔽を提供するのを助ける。
【００１９】
図２はＥＭＩシールドケージ１００の部品の分解図である。図２により分かりやすく示すように、導電性ガスケット３２は、前面パネル３０の後ろ、かつ、実質的に剛性の導電性ガスケット裏当て部材４０の前に配置されている。ガスケット３２が圧縮可能なので、ガスケット裏当て部材４０は、好ましくは、平坦であり、ガスケット３２を上側パネル１８、側壁２０及び２２並びに下側パネル１２の外側において装置前面パネル後側面２９とケージ１００との間で圧縮するのを支援する大きさ及び形状を有している。この点において、ガスケットの厚さＤ３は圧縮されないものであり、好ましくは、前面パネル後側面２９とケージ１００の係合タブ３６との間の厚さより大きい。
【００２０】
図２で分かるように、ガスケット裏当て部材、すなわち、支持板４０はいくつかの凹部４１を有し、該凹部４１は、ケージ部品の一部として形成されたいくつかの「Ｌ」字形のガスケット係合タブ３６を収容するようにガスケット裏当て部材４０に形成される。ガスケット係合タブ３６は、好ましくは、ケージ１００の上部と下部とを打抜き形成することによって形成される。Ｌ字形係合タブ３６は、後部３６ａと締付部３６ｂを含む。該締付部３６ｂは裏当て部材４０と、好ましくはその凹部４１において係合して裏当て部材４０をケージ１００上の所定の位置に保持し、後部３６ａは、裏当て部材４０を所定の位置に維持するとともに、裏当て部材がケージ外側を更に後方に移動するのを防止する止め面を提供する。この点において、係合タブ後部３６ａと前面パネル後側面２９との間の距離Ｄ４（図１０）は、ガスケット４０の厚さＤ３より小さく、ケージとパネルとを組立てたときにガスケット４０が圧縮されるように選択されることが好ましい。図面に示したように、ケージ１００の前端を前面パネル開口３０内の所定の位置に保持するためにキャップ２７を利用することができる。
【００２１】
さらに、ガスケット裏当て部材４０がガスケット３２に対して押されたとき、ケージ１００の上側パネルと下側パネルの各パネルから突出するいくつかのガスケット係合タブ３６が、裏当て部材４０を超えてガスケット３２（図９）の中（又は上）に達し、それにより、係合タブ３６は、導電性ガスケット３２と機械的かつ電気的に接触する。したがって、係合タブ３６とガスケット３２との間の機械的かつ電気的接触によって、前面パネル３０と外側パネル１２、１６、１８、２０及び２２との間に電気的連続性が提供される。厚さＤ３及びＤ４が異なるため、ケージ組立体が前面パネル２８に対して押されたときにガスケットが圧縮され、前面パネル開口３０におけるケージ１００周辺において導電接触が確実になる。
【００２２】
図３は、内部壁４２を含むＥＭＩシールドケージ１００の分解図を示し、内部壁４２の配置と形状によって次のような利点を提供する。すなわち、上側パネル及び下側パネルの剛性が高まる、上側パネルと下側パネルとの間におけるガスケットによる電気的かつ機械的な接続を向上させる、複数の接地脚として機能することによって、これを介して回路基板３４の接地あるいは基準電位まで導電経路長が短くなるという利点が提供される。図３には３枚の内部壁４２を示したが、ケージ１００の代替的実施形態においては、任意の数の内部壁を後述するように構成し配置することができる。
【００２３】
図３においては、ケージ１００の３枚の内部側壁４２は、上側パネル１８と下側パネル１２の両方に対して実質的に垂直に向けられ、ケージ１００の内部に第１及び第２のモジュール空間あるいはベイを画定しており、前記空間内に電子モジュールを取付けてＥＭＩ吸収から守ることができる（また、そのＥＭＩ伝達を低減することができる）。壁４２は、各壁４２の上側と下側に形成され配設された複数の内部壁係合タブ５０によって直交する（上下）向きに維持されることが好ましい。内部壁４２は更に好ましくは、いくつかのより長い接地脚５２によって向きが維持され、接地脚５２は下側パネル１２の孔（あな）を貫通して、好ましくはケージ１００が取付けられるとともに接地される回路基板の中まで延在するのに十分な長さである。接地脚５２は「針の目」型の変形可能なピンとして示されている。
【００２４】
内部側壁４２の内部壁係合タブ５０は、上側カバー１８と下側パネル１２とに配設された相手側スロット、すなわち、相補的スロット５１から突出するような大きさ及び形状を有している。そのようなタブ５０は、上側パネル及び下側パネルに対する固定と電気的結合のために内部壁４２に設けられているが、当然ながら、上側パネル１８及び下側パネル１２が十分な長さを有しタブ５１を挿入するために必要な相補的スロット５１を備えていれば、外部側壁２０及び２２も係合タブ５０を備えることができ、該タブ５０によって側壁２０及び２２を上側パネル及び／又は下側パネルに接合することができる。
【００２５】
「相補的」という点において、内部壁係合タブ５０が過度の遊びなしにスロットに嵌ることが好ましく、スロット５１はそのような幅及び長さを有するものである。係合タブ５０がこれらパネルのスロット５１から突出する場合、係合タブ５０を所定の位置にピーニング、スエージング、ローレット加工、はんだ付、ろう付、溶接あるいは接着することができ、これにより、内部壁４２を下側パネル１２と同様にカバー１８に機械的かつ電気的に接合する。当業者は、内部壁係合タブ５０の上側と下側だけにピーニング、スエージング、ローレット加工してもよいことを理解するであろう。ピーニング、スエージング、ローレット加工の他に、内部壁係合タブ５０をはんだ付、ろう付、溶接あるいは導電性接着材を使って接着してもよく、これらはすべてピーニングあるいはローレット加工した係合タブの同等な実施形態であると考えられる。図面にはこのような係合タブ５０が７個示されており、ケージの長手方向に互いに離間しており、係合タブ５０の一部又はすべてが、内部側壁４２の上縁と下縁に沿って互いに位置合せされていてもよい。
【００２６】
内部壁４２は更に、各壁４２の下側にいくつかの接地脚５２を含むことが好ましい。同様に、各側壁２０及び２２もその下側にいくつかの接地脚５２を有し、該接地脚５２は、ケージ１００の金属製部品から、一般に、ケージ１００が取付けられる回路基板上又は回路基板内の接地あるいは基準電位まで電流が流れる経路を提供する。カードケージ１００の下側領域の全体に亘（わた）って近接して規則的に離間されたいくつかの接地脚５２を使用し、該接地脚５２を回路基板３４の基準電位に電気的に接合することによって、内部空間２４内の電子モジュールに対するＥＭＩが接地又は基準電位により迅速に送られ、これにより、ＥＭＩ抑制機能が改善される。
【００２７】
図４は、図２に示される切断線４−４から見たＥＭＩ抑制ケージ１００の図である。ＥＭＩシールドケージ１００は、前述の接地脚５２によって回路基板３４上の導電経路、すなわち、「トレース」に機械的かつ電気的に取付けられているが、接地脚５２は、図４には図示されていない。
【００２８】
図４において、上側カバー１８と側壁２０及び２２とを接合する角部１９における丸みは、上側カバー１８を形成する単一のメタルシートを曲げて側壁２０及び２２を形成したために形成されたものである。ガスケット係合締付部３６ｂは、カバー１８の上から所定の距離Ｈだけ突出したものとして示されている。同様に、下側係合タブ３６のガスケット係合タブ締付部３６ｂも下側パネル１２から同じ距離Ｈだけ下に突出している。ガスケット係合タブ締付部が上側カバー１８から上に、あるいは、下側パネル１２から下に突出する高さＨだけ、ガスケット係合タブ３６は導電性の圧縮可能なガスケット３２を圧縮し及び／又はガスケット３２内に延在することができ、これにより、該ガスケット３２とケージの導電性の外側パネル及び内部壁との間に電気経路が提供される。
【００２９】
図５は、組立てた状態のＥＭＩシールドケージ１００の他の斜視図である。この図では、内部壁４２と、接地脚５２と、上側パネル１８より上と下側パネル１２より下に突出する内部壁係合タブ５０の使用とをより明瞭に示すために、前面パネル３０を取除き左前角部を切取った状態を示している。図５から分かるように、各内部壁４２は中空の第１及び第２のモジュール収容レセプタクル４１、４３を画定しており、その中にデータ通信トランシーバ等の電子モジュールを組込み、ＥＭＩ信号から保護することができる、あるいは、電子モジュール自体のＥＭＩ信号を抑制することができる。好ましい実施形態においては、図５から分かるように、ガスケット係合タブ３６は、上側カバー１８を形成するシートメタルから打抜くことによって形成される。ケージ１００を取付ける回路基板や他の基板への接続を可能にするために、数本の接地脚５２がケージ１００の下側から延在している。図３、５及び６に示した脚は、はんだ付用の稠密（ちょうみつ）な中実な脚として示されているが、図７に示した接地脚は、貫通孔（こう）をめっきして取付けるための穴の空いた変形可能なピンとして示されている。
【００３０】
はんだ脚を回路基板上の導電体に取付けて、良好な接続を実現するいくつかの方法がある。係合タブ５０のように、はんだ脚は、いくつかの方法で回路基板のコネクタ（あるいは他の基板）に取付けることができ、その方法としては、ピーニング、ローレット加工、スエージング、はんだ付及びろう付が挙げられる。
【００３１】
図６は、図２の切断線６−６に沿ったケージ１００の他の図であり、側壁２０及び２２並びに内部壁４２を示す。各電子モジュール空間２４の背面部、すなわち、後部にはモジュール接触要素として知られている圧縮取付タブ６０が設けられている。該圧縮取付タブ６０は、金属カバー１８を打抜くことによって形成され、電子モジュール空間２４内に取付けられた電子モジュールに付勢力を提供する。この付勢力は、モジュールが接続されるモジュール空間２４内のコネクタへの結合を促進するようにケージレセプタクル内に挿入されたモジュールの位置を維持するために使用することができる。
【００３２】
図７は、内部壁４２のうちの１枚の側面を示し、内部壁４２を上面パネル１８及び下面パネル１２に対して直角に維持するとともに改善された接地接続を提供する内部壁係合タブ５０と変形可能な接地脚５２とを示す。接地脚５２は、壁４２の下縁から延在し、ＥＭＩシールドケージ１００を電気的かつ機械的に取付ける（図７には示していないが、図６に符号３４で示す）回路基板の接地電位に壁４２を電気的に結合するための構造、すなわち、「手段」を提供する。好ましい実施形態では、壁４２の上縁と下側に沿って壁係合タブ５０が設けられているが、代替的の実施形態においては、上側だけに係合タブ５０を使用し、下側にははんだ脚５２だけを用いる。壁係合タブは、上側カバー１８と下側パネル１２のスロット５１を貫通して延在するのに十分な高さのものであり、その高さ分がピーニング、スエージング、ローレット加工、はんだ付、ろう付、溶接あるいは接着を行うことができる材料となって、壁係合タブ５０が上側パネル１８と下側パネル１２に電気的に接続される。機械技術分野における当業者であれば、壁係合タブ５０をピーニング、スエージングあるいはローレット加工することによって、壁４２と上側カバー１８及び下側パネル１２との間の機械的接続と同様に電気的接続が提供されることを理解することができるであろう。
【００３３】
内部側壁４２上の接地脚５２は、遮蔽及び短絡の問題のために短い接地経路を提供するということが重要である。図示されるような接地脚５２が内部側壁４２に設けられていないと、ケージ１００に設けられた接地脚は外部側壁２０及び２２の２個だけとなる。図１１Ａに「Ｚ」で示された中央ベイ内のモジュールに短絡が生じると、接地経路は、図にＺ１として示す短絡位置から外部側壁までの距離に亘って延在することになり、この距離は、少なくともケージ下側パネル１２の幅の半分とほぼ等しい。内部側壁４２に接地脚を追加すると、この距離がかなり短くなる。図１１Ｂに示されように、Ｚで短絡が生じた場合、内部壁の近くの接地脚までの接地経路はＺ２で示され、距離Ｚ１よりかなり短い。
【００３４】
図８は、電子モジュール空間２４の背面部、すなわち、後部と圧縮タブ６０とを示す。該圧縮タブ６０は、カバー１８を打抜くことによって形成されることが好ましい。圧縮タブ６０は、空間２４に組込まれる回路基板又はトランシーバモジュールに対して下向きの力６１を提供するように大きさ及び位置が決められている。下向きの力６１は、電子モジュール空間２４内のモジュールとコネクタ（図示せず）との間の電気的接触を維持するように作用する。
【００３５】
図９は、ＥＭＩシールドケージ１００の外側パネルと電気的接触及び機械的接触した状態の導電性の圧縮可能なガスケット３２の断面図を示す。前述の平坦なガスケット裏当て部材４０が、ガスケット係合タブ３６と圧縮可能なガスケット３２との間に配置されていることが分かる。ガスケット係合タブ３６とガスケット３２との間の物理的接触は、ガスケットとカバー１８、下側１２及び側面（図９には示されていない）との間の電気接触を改善する。
【００３６】
図１０は、ＥＭＩシールドケージ１００に取付けられた前面カバー２８と、電子モジュール空間２４に組込む電子モジュールが通る前面開口３０とを示す。ガスケット係合タブ３６と係合する導電性の圧縮可能なガスケット３２によって、前面パネル２８と金属導電性パネルとの間に確実な電気的接触を提供することができる。
【００３７】
このＥＭＩシールドケージ構造の重要な特徴は、ガスケット係合タブ３６に対応して内部壁４２が配置されていることである。ガスケット３２が圧縮可能なので、前面パネル２８をケージ１００に取付けてガスケット３２を圧縮することによって、ガスケット係合タブ３６に力がかかる。換言すると、圧縮可能なガスケット３２は、ガスケット係合タブ３６をガスケット３２から遠ざかる方向に回転させて上側パネル１８と下側パネル１２とを変形あるいは湾曲させる傾向がある。上側パネル及び下側パネルの厚さとガスケット３２の硬さによって異なるが、上側パネルと下側パネルとが大きく曲がってしまうことがある。
【００３８】
したがって、圧縮ガスケット４０が前面パネル２８と係合タブ３６とに対して押されるあるいは付勢されたときに圧縮ガスケット４０が引き起こす変形あるいは湾曲に対抗して上側パネル１８及び下側パネル１２を補強あるいは強化するために、前述の側壁４２は、ガスケット係合タブ３６の下又は上に位置決めあるいは配置される。言い換えると、内部壁４２は、係合タブ３６間に配置されていることによって、上側パネル１８と下側パネル１２とに曲げ剛性を提供し、圧縮性発泡材３２が係合タブ３６と前面パネル２８との間で圧縮されたときに上側パネル１８と下側パネル１２に加わる力に対抗できるように上側パネル１８と下側パネル１２とを補強する。図２、３、４及び５から分かるように、（１枚又は複数枚の）内部壁４２は、圧縮可能な導電性ガスケット３２がガスケット係合タブ３６に与える力に対して上側パネルと下側パネルを補強するために、ガスケット係合タブ３６の直ぐ下に配置される。
【００３９】
壁係合タブ５２を上側パネル１８と下側パネル１２とに電気的に接合することによって、内部壁４２は、上側パネル１８と下側パネル１２とに対して実質的に垂直の向きに維持され、上側パネルと下側パネルに更に高い曲げ剛性を提供することができる。ガスケット係合タブ４２の下方の内部壁４２によって上側パネル１８と下側パネル１２とを補強することにより、パネルの厚さとケージ１００の重さとを通常必要な厚さ及び重さよりも大幅に低減することができる。
【００４０】
好ましい実施形態において、導電性の圧縮可能なガスケット４０は、導電性材料を処理あるいは含浸した圧縮可能な発泡材で形成される。一実施形態においては、ガスケット４０は材料を連続した輪であり、代替的実施形態においては、ガスケットは線状の材料をケージ１００の周囲に巻付け、好ましくは、上側パネル１８、側面パネル２０及び２２、下側パネル１２、前面パネル２８並びに係合タブ３６と電気的に接触させたものとすることができる。また、ガスケットを所定の位置に保持するためにガスケットの内側面に接着材層を貼付けてもよい。圧縮可能で導電性のガスケット材料を用い、いくつかの接地脚５２を用いることによって、従来技術に優る接地及びＥＭＩシールドを達成する。
【００４１】
以上のことから、導電性前面パネル２８と導電性パネルで構成されたモジュールシールドケージとの間に導電性ガスケット材料を使用することによって、ＥＭＩ抑制が改善されることは明らかである。内部壁４２を適切に配置することによって、圧縮可能なガスケット４０によって生じる曲げモーメントに耐えることができ、ケージ１００の各パネルとその前面パネル２８との間の電気的接触を更に改善することができる。接地脚５２を均一に分散又は配置することによって、回路基板内の接地電位までの経路を最短にすることができ、ＥＭＩ抑制を更に改善することができる。
【００４２】
電子モジュール容積２４内に電子データ通信トランシーバや双方向無線等の電子モジュールを配置すると、該モジュールからのＥＭＩが抑制されるとともに、外部ＥＭＩ発生源からこれらモジュールを隔離することができる。
【図面の簡単な説明】
【００４３】
【図１】本発明の原理に従って構成され、回路基板上、かつ、電子装置のパネル開口内の所定の位置に配置された状態で示されたケージ組立体の部分断面斜視図である。
【図２】ＥＭＩシールドケージのパネル、前面ＥＭＩ制御ガスケット組立体及びパネルを示す分解図である。
【図３】図１の組立体全体の分解図である。
【図４】図２の線４−４に沿ったケージ組立体の正面図である。
【図５】図１のシールドケージの部分断面斜視図であり、内部壁がケージのカバーと下側（ベース）を貫通して延在する状態を分かりやすく示すために一部を取除いて示す。
【図６】回路基板へのケージの接続状態を示すために切断線６−６に沿って切断された図１のケージの断面図であり、回路基板上の所定の位置に取付けられた状態を示す。
【図７】図１のケージ組立体の内部壁のうちの１枚の側面図である。
【図８】線８−８に沿って切断した図５のケージ組立体の後側壁の部分断面図であり、ケージカバーの後側に形成されたモジュール接点要素を示す。
【図９】切断線９−９に沿って切断した図２のケージ組立体の前端の部分断面図であり、ＥＭＩ制御ガスケットがケージの前端の所定の位置に取付けられ保持された状態を示す。
【図１０】パネルを貫通し図１の線１０−１０に沿って切断された以外は図９と同様の図である。
【図１１Ａ】本発明のケージ内の接地経路の関係を示す図である。
【図１１Ｂ】本発明のケージ内の接地経路の関係を示す図である。
【図１】
2006522485.tif 000003
【図２】
2006522485.tif 000004
【図３】
2006522485.tif 000005
【図４】
2006522485.tif 000006
【図５】
2006522485.tif 000007
【図６】
2006522485.tif 000008
【図７】
2006522485.tif 000009
【図８】
2006522485.tif 000010
【図９】
2006522485.tif 000011
【図１０】
2006522485.tif 000012
2006522485.tif 000013
【手続補正書】
【提出日】平成16年11月1日(2004.11.1)
【手続補正１】
【補正対象書類名】特許請求の範囲
【補正対象項目名】全文
【補正方法】変更
【補正の内容】
【特許請求の範囲】
【請求項１】
電子モジュール用電磁障害（ＥＭＩ）シールドケージ（１００）であって、
回路基板（３４）に取付ける下側部材（１２）と、
前記下側部材（１２）に電気的に結合された導電性カバー部材（１８）と、
前記下側部材及びカバー部材（１２、１８）に電気的に結合された第１及び第２の導電性外部側壁（２０、２２）であって、各々から少なくとも１つの垂下している外部接地脚（５２）を含む第１及び第２の外部側壁（２０、２２）とを有し、
前記シールドケージ（１００）は、前記下側部材及びカバー部材（１２、１８）に電気的に結合された少なくとも１つの内部壁（４２）を更に含み、該内部壁（４２）は、垂下して前記下側部材（１２）内に配設された対応する開口を貫通し、前記回路基板（３４）上の接地回路に接続される少なくとも１つの内部接地脚（５２）を含み、前記下側部材（１２）、外部側壁（２０、２２）及び内部壁（４２）及びカバー部材（１８）が、電子モジュールを収容するための前記シールドケージ（１００）の少なくとも２つの別個の隣合った内部キャビティ（２４）を画定し、それぞれの内部キャビティが、前記シールドケージ（１００）の外部と連通し電子モジュールが通過することができる別個の開口を含むことを特徴とするシールドケージ（１００）。
【請求項２】
前記外部側壁（２０、２２）及び内部壁（４２）は、それぞれ、垂下する複数の接地脚（５２）を含む、請求項１に記載のシールドケージ。
【請求項３】
前記内部接地脚及び外部接地脚（５２）は変形可能なピンを含む、請求項２に記載のシールドケージ。
【請求項４】
前記内部接地脚及び外部接地脚（５２）は針の目型の変形可能なピンを含む、請求項３に記載のシールドケージ。
【請求項５】
前記外部接地脚（５２）は前記側壁（２０、２２）に沿って長手方向に互いに離間される、請求項２に記載のシールドケージ。
【請求項６】
前記内部壁（４２）は該内部壁に配設された複数の係合タブ（５０）を含み、該係合タブ（５０）が、前記導電性下側部材（１２）及び前記導電性カバー部材（１８）の少なくとも１つと機械的かつ電気的に係合する大きさ及び形状を備える、請求項１に記載のシールドケージ。
【請求項７】
前記内部壁係合タブ（５０）は、ピーニング、スエージング、ローレット加工、はんだ付、ろう付、溶接及び接着のうちの少なくとも１つによって前記カバー部材（１２）に機械的かつ電気的に結合される、請求項６に記載のシールドケージ。
【請求項８】
前記内部壁係合タブ（５０）は、ピーニング、スエージング、ローレット加工、はんだ付、ろう付、溶接及び接着のうちの少なくとも１つによって前記下側部材（１８）に機械的かつ電気的に結合される、請求項７に記載のシールドケージ。
【請求項９】
前記内部接地脚（５２）は前記内部壁（４２）に沿って長手方向に互いに離間される、請求項２に記載のシールドケージ。
【請求項１０】
前記内部壁（４２）は、前記下側部材及びカバー部材（１２、１８）に対して実質的に垂直に向けられ、前記カバー部材及び下側部材（１２、１８）の曲げ剛性を高める、請求項１に記載のシールドケージ。
【請求項１１】
前記内部接地脚及び外部接地脚（５２）は真っ直ぐなピンを含む、請求項２に記載のシールドケージ。
【請求項１２】
前記内部接地脚及び外部接地脚（５２）は真っ直ぐなピンと変形可能な取付ピンとを含む、請求項２に記載のシールドケージ。
【国際調査報告】
2006522485.tif 000014
2006522485.tif 000015